(57)【要約】      （修正有）【課題】環境温度が変化や経時変化が生じた場合に、発光素子の特性に依存して発光素子の電流値が変動し、輝度にバラツキが生じてしまう影響を抑制できる表示装置を提供する。【解決手段】複数のトランジスタで構成される画素がマトリクス状に配置された画素部１１０３を有する第１基板は映像信号を供給するソースドライバ１１０４と画素を選択するゲートドライバ１１０５と、電源回路１１０７と、発光素子の特性変動を補償する補償回路とを有し、第１基板は接続配線を介して第２基板と接続し、第２基板はコントローラ１１０８と、ビデオメモリ１１０９とを有し、コントローラはＣＰＵなどの外部から入力される画像データから、必要に応じてビデオメモリを用い、表示装置で表示できるようにするために必要な信号を作りだす。【選択図】図２９
2015121812.tif 000002
【特許請求の範囲】
【請求項１】
電流源と、容量素子と、発光素子と、第１及び第２のスイッチと、を有し、
前記第１のスイッチの第１の端子は、前記電流源と電気的に接続され、
前記第１のスイッチの第２の端子は、前記容量素子と電気的に接続され、
前記第２のスイッチの第１の端子は、前記電流源と電気的に接続され、
前記第２のスイッチの第２の端子は、前記発光素子と電気的に接続され、
前記第１のスイッチがオフになった後に、前記第２のスイッチがオフになることを特徴とする表示装置。
【請求項２】
電流源と、容量素子と、第１乃至第３の発光素子と、第１及び第２のスイッチと、第１乃至第４のトランジスタと、を有し、
前記第１のスイッチの第１の端子は、前記電流源と電気的に接続され、
前記第１のスイッチの第２の端子は、前記容量素子と電気的に接続され、
前記第２のスイッチの第１の端子は、前記電流源と電気的に接続され、
前記第２のスイッチの第２の端子は、前記第１の発光素子と電気的に接続され、
前記第１のトランジスタのソース又はドレインの一方は、前記第２の発光素子と電気的に接続され、
前記第１のトランジスタのソース又はドレインの他方は、第１の配線と電気的に接続され、
前記第２のトランジスタのソース又はドレインの一方は、前記第１のトランジスタのゲートと電気的に接続され、
前記第２のトランジスタのゲートは、第２の配線と電気的に接続され、
前記第３のトランジスタのソース又はドレインの一方は、前記第３の発光素子と電気的に接続され、
前記第３のトランジスタのソース又はドレインの他方は、前記第１の配線と電気的に接続され、
前記第４のトランジスタのソース又はドレインの一方は、前記第２のトランジスタのゲートと電気的に接続され、
前記第４のトランジスタのゲートは、前記第２の配線と電気的に接続され、
前記第１の配線の電位は、前記容量素子の電圧に基づいていることを特徴とする表示装置。
【請求項３】
電流源と、容量素子と、第１乃至第３の発光素子と、第１及び第２のスイッチと、第１乃至第４のトランジスタと、を有し、
前記第１のスイッチの第１の端子は、前記電流源と電気的に接続され、
前記第１のスイッチの第２の端子は、前記容量素子と電気的に接続され、
前記第２のスイッチの第１の端子は、前記電流源と電気的に接続され、
前記第２のスイッチの第２の端子は、前記第１の発光素子と電気的に接続され、
前記第１のトランジスタのソース又はドレインの一方は、前記第２の発光素子と電気的に接続され、
前記第１のトランジスタのソース又はドレインの他方は、第１の配線と電気的に接続され、
前記第２のトランジスタのソース又はドレインの一方は、前記第１のトランジスタのゲートと電気的に接続され、
前記第２のトランジスタのゲートは、第２の配線と電気的に接続され、
前記第３のトランジスタのソース又はドレインの一方は、前記第３の発光素子と電気的に接続され、
前記第３のトランジスタのソース又はドレインの他方は、前記第１の配線と電気的に接続され、
前記第４のトランジスタのソース又はドレインの一方は、前記第２のトランジスタのゲートと電気的に接続され、
前記第４のトランジスタのゲートは、前記第２の配線と電気的に接続され、
前記第１の配線の電位は、前記容量素子の電圧に基づいており、
前記第１のスイッチがオフになった後に、前記第２のスイッチがオフになることを特徴とする表示装置。
【発明の詳細な説明】
【技術分野】
【０００１】
本発明は、補正機能を備えた表示装置及びその駆動方法に関する。
【背景技術】
【０００２】
近年、ＥＬ（Ｅｌｅｃｔｒｏ  Ｌｕｍｉｎｅｓｃｅｎｃｅ）素子を代表とする発光素子
を含む表示装置の開発が進められ、自発光型ゆえの高画質、広視野角、薄型、軽量等の利
点を活かして、幅広い利用が期待されている。発光素子は、その輝度が電流値に比例する
性質を有するため、階調を正確に表現するために、当該発光素子に一定の電流を流す定電
流駆動を採用する表示装置がある（特許文献１参照）。
【先行技術文献】
【特許文献】
【０００３】
【特許文献１】特開２００３−３２３１５９号公報
【発明の概要】
【発明が解決しようとする課題】
【０００４】
発光素子は、周囲の温度（以下環境温度と表記）により、その抵抗値（内部抵抗値）が
変化する性質を有する。具体的には、室温を通常の温度としたとき、温度が通常よりも高
くなると抵抗値が低下し、温度が通常よりも低くなると抵抗値が上昇する。そのため、温
度が高くなると電流値が増加して所望の輝度よりも高い輝度となり、温度が低くなると電
流値が低下して所望の輝度よりも低い輝度となる。このような発光素子の性質は、発光素
子の電圧電流特性と温度の関係のグラフ（（図１０（Ａ）参照））に示す通りである。ま
た、発光素子は、経時的にその電流値が減少する性質を有する。このような発光素子の性
質は、発光素子の電圧電流特性と時間の関係のグラフ（（図１０（Ｂ）参照））に示す通
りである。
【０００５】
上述したような発光素子が有する性質により、環境温度が変化したり、経時変化が生じ
たりすると、輝度にバラツキが生じてしまう。上記の実情を鑑み、本発明は、環境温度の
変化と経時変化に起因した、発光素子の電流値の変動による影響を抑制する表示装置の提
供を課題とする。
【課題を解決するための手段】
【０００６】
本発明の表示装置は、複数の画素を含む画素領域と、ソースドライバと、ゲートドライ
バとを有する。複数の画素の各々は、発光素子と、画素に対するビデオ信号の入力を制御
する第１のトランジスタと、発光素子の点灯又は非点灯を制御する第２のトランジスタと
、ビデオ信号を保持する容量素子とを有する。
【０００７】
本発明の表示装置の一は、モニター素子と、モニター素子に電流を供給する電流源と、
オペアンプと、オペアンプの出力を増幅する第１トランジスタと、発光素子と、発光素子
を駆動する第２トランジスタとを有している。オペアンプの出力端子を第１トランジスタ
のベースに接続し、トランジスタのエミッタ端子は正電源に接続され、第１トランジスタ
のコレクタ端子をオペアンプの反転入力端子に接続することで、バッファアンプを構成し
ている。モニター素子及び発光素子の一方の電極は定電位電源に接続されており、モニタ
ー素子の他方の電極はバッファアンプに接続されており、前記モニター素子の他方の電極
の電位とアンプを通して出力した電位とを同じにし、前記出力した電位を、前記第２トラ
ンジスタを介して発光素子の他方の電極に印加する。
【０００８】
本発明の表示装置の一は、モニター素子と、モニター素子に電流を供給する電流源と、
モニター素子の両極間の電圧を保持する容量素子と、容量素子と電流源との接続をオン状
態とオフ状態を切り変える第１のスイッチと、電流源とモニター素子の接続をオン状態と
オフ状態を切り変える第２のスイッチと、オペアンプと、オペアンプの出力を増幅する第
１トランジスタと、発光素子と、発光素子を駆動する第２トランジスタとを有している。
オペアンプの出力端子を第１トランジスタのベースに接続し、トランジスタのエミッタ端
子は正電源に接続され、第１トランジスタのコレクタ端子をオペアンプの反転入力端子に
接続することで、バッファアンプを構成している。モニター素子及び発光素子の一方の電
極は定電位電源に接続されており、第１のスイッチ及び第２のスイッチがオン状態のとき
に、モニター素子の他方の電極はバッファアンプにより接続されており、前記モニター素
子の他方の電極の電位とアンプを通して出力した電位とを同じにし、前記出力した電位を
発光素子の他方の電極に印加し、第１のスイッチ及び第２のスイッチがオフ状態のときに
は、第１のスイッチ及び第２のスイッチをオフ状態にした瞬間のモニター素子の他方の電
位を容量素子が保持し、容量素子が保持したモニター素子の他方の電位はバッファアンプ
に印加されており、前記モニター素子の他方の電極の電位とアンプを通して出力した電位
とを同じにし、前記出力した電位を、前記第２トランジスタを介して発光素子の他方の電
極に印加する。
【０００９】
本発明の表示装置の一は、複数のトランジスタで構成される画素がマトリクス状に配置
された画素部を有する第１基板は画素に映像信号を供給するソースドライバと、映像信号
を供給する画素を選択するゲートドライバと、発光素子の特性変動を補償する補償回路を
有し、第１基板は接続配線を介して回路基板と接続し、回路基板は電源回路と、コントロ
ーラと、ビデオメモリとを有している。
【００１０】
本発明の表示装置の一は、複数のトランジスタで構成される画素がマトリクス状に配置
された画素部を有する第１基板は画素に映像信号を供給するソースドライバと、映像信号
を供給する画素を選択するゲートドライバとを有し、第１基板は接続配線を介して回路基
板と接続し、回路基板は電源回路と、コントローラと、ビデオメモリと、発光素子の特性
変動を補償する補償回路を有している。
【００１１】
本発明の表示装置の一は、複数のトランジスタで構成される画素がマトリクス状に配置
された画素部を有する第１基板は画素に映像信号を供給するソースドライバと、映像信号
を供給する画素を選択するゲートドライバとを有している。第１基板は接続配線を介して
回路基板と接続し、接続配線上に電源回路と、発光素子の特性変動を補償する補償回路を
有し、回路基板はコントローラと、ビデオメモリとを有している。
【００１２】
本発明の表示装置の一は、複数のトランジスタで構成される画素がマトリクス状に配置
された画素部を有する第１基板は画素に映像信号を供給するソースドライバと、映像信号
を供給する画素を選択するゲートドライバと、発光素子の特性変動を補償する補償回路と
を有している。第１基板は接続配線を介して回路基板と接続し、接続配線上に電源回路を
有し、回路基板はコントローラと、ビデオメモリとを有している。
【００１３】
本発明の表示装置の一は、複数のトランジスタで構成される画素がマトリクス状に配置
された画素部を有する第１基板は画素に映像信号を供給するソースドライバと、映像信号
を供給する画素を選択するゲートドライバと、電源回路と、発光素子の特性変動を補償す
る補償回路とを有している。第１基板は接続配線を介して回路基板と接続し、回路基板は
コントローラと、ビデオメモリとを有している。
【００１４】
本発明の表示装置の一は、複数のトランジスタで構成される画素がマトリクス状に配置
された画素部を有する第１基板は画素に映像信号を供給するソースドライバと、映像信号
を供給する画素を選択するゲートドライバと、電源回路と、発光素子の特性変動を補償す
る補償回路と、コントローラと、ビデオメモリとを有している。
【００１５】
本発明の表示装置の一は、複数のトランジスタで構成される画素がマトリクス状に配置
された画素部を有する第１基板は映像信号を供給する画素を選択するゲートドライバを有
している。第１基板は接続配線を介して外部回路と接続し、接続配線上に画素に映像信号
を供給するソースドライバを有し、回路基板は電源回路と、コントローラと、ビデオメモ
リと、発光素子の特性変動を補償する補償回路とを有している。
【００１６】
本発明の表示装置の一は、複数のトランジスタで構成される画素がマトリクス状に配置
された画素部を有する第１基板は接続配線を介して回路基板と接続し、接続配線上に画素
に映像信号を供給するソースドライバと映像信号を供給する画素を選択するゲートドライ
バとを有している。回路基板は電源回路と、コントローラと、ビデオメモリと、発光素子
の特性変動を補償する補償回路とを有している。
【００１７】
本発明の表示装置の一は、複数のトランジスタで構成される画素がマトリクス状に配置
された画素部を有する第１基板は映像信号を供給する画素を選択するゲートドライバを有
している。第１基板は接続配線を介して回路基板と接続し、接続配線上に画素に映像信号
を供給するソースドライバと、発光素子の特性変動を補償する補償回路とを有している。
回路基板は電源回路と、コントローラと、ビデオメモリとを有している。
【００１８】
本発明の表示装置の一は、複数のトランジスタで構成される画素がマトリクス状に配置
された画素部を有する第１基板は接続配線を介して回路基板と接続し、接続配線上に画素
に映像信号を供給するソースドライバと映像信号を供給する画素を選択するゲートドライ
バと、発光素子の特性変動を補償する補償回路を有している。回路基板は電源回路と、コ
ントローラと、ビデオメモリとを有している。
【００１９】
本発明の表示装置の一は、複数のトランジスタで構成される画素がマトリクス状に配置
された画素部を有する第１基板は映像信号を供給する画素を選択するゲートドライバを有
している。第１基板は接続配線を介して回路基板と接続し、接続配線上に画素に映像信号
を供給するソースドライバと、発光素子の特性変動を補償する補償回路と、電源回路を有
している。回路基板はコントローラと、ビデオメモリとを有している。
【００２０】
本発明の表示装置の一は、複数のトランジスタで構成される画素がマトリクス状に配置
された画素部を有する第１基板は接続配線を介して回路基板と接続し、接続配線上に画素
に映像信号を供給するソースドライバと映像信号を供給する画素を選択するゲートドライ
バと、発光素子の特性変動を補償する補償回路と、電源回路を有している。回路基板はコ
ントローラと、ビデオメモリとを有している。
【００２１】
本発明の表示装置の一は、複数のトランジスタで構成される画素がマトリクス状に配置
された画素部を有する第１基板は映像信号を供給する画素を選択するゲートドライバを有
している。第１基板は接続配線を介して外部回路と接続し、接続配線上に画素に映像信号
を供給するソースドライバと、発光素子の特性変動を補償する補償回路と、電源回路と、
コントローラと、ビデオメモリとを有している。
【００２２】
本発明の表示装置の一は、複数のトランジスタで構成される画素がマトリクス状に配置
された画素部を有する第１基板は接続配線を介して外部回路と接続し、接続配線上に画素
に映像信号を供給するソースドライバと映像信号を供給する画素を選択するゲートドライ
バと、発光素子の特性変動を補償する補償回路と、電源回路と、コントローラと、ビデオ
メモリとを有している。
【００２３】
本発明の表示装置の駆動方法の一は、モニター素子と、モニター素子に電流を供給する
電流源と、オペアンプと、オペアンプの出力を増幅する第１トランジスタと、発光素子と
、発光素子を駆動する第２トランジスタとを有し、オペアンプの出力端子を第１トランジ
スタのベースに接続し、トランジスタのエミッタ端子は正電源に接続され、第１トランジ
スタのコレクタ端子をオペアンプの反転入力端子に接続することで、バッファアンプを構
成するものであり、モニター素子及び発光素子の一方の電極は定電位電源に接続されてお
り、モニター素子の他方の電極はバッファアンプに接続されており、前記モニター素子の
他方の電極の電位とアンプを通して出力した電位とを同じにし、前記出力した電位を、前
記第２トランジスタを介して発光素子の他方の電極に印加する。
【００２４】
本発明の表示装置の駆動方法の一は、モニター素子と、モニター素子に電流を供給する
電流源と、モニター素子の両極間の電圧を保持する容量素子と、容量素子と電流源との接
続をオン状態とオフ状態を切り変える第１のスイッチと、電流源とモニター素子の接続を
オン状態とオフ状態を切り変える第２のスイッチと、オペアンプと、オペアンプの出力を
増幅する第１トランジスタと、発光素子と、発光素子を駆動する第２トランジスタとを有
し、オペアンプの出力端子を第１トランジスタのベースに接続し、トランジスタのエミッ
タ端子は正電源に接続され、第１トランジスタのコレクタ端子をオペアンプの反転入力端
子に接続することで、バッファアンプを構成したものであり、モニター素子及び発光素子
の一方の電極は定電位電源に接続されており、第１のスイッチ及び第２のスイッチがオン
状態のときに、モニター素子の他方の電極はバッファアンプに接続されており、前記モニ
ター素子の他方の電極の電位とアンプを通して出力した電位とを同じにし、前記出力した
電位を発光素子の他方の電極に印加し、第１のスイッチ及び第２のスイッチがオフ状態し
ているときには、第１のスイッチ及び第２のスイッチをオフ状態にした瞬間のモニター素
子の他方の電位を容量素子が保持し、容量素子が保持したモニター素子の他方の電位をバ
ッファアンプに印加し、前記モニター素子の他方の電極の電位とアンプを通して出力した
電位とを同じにし、前記出力した電位を、前記第２トランジスタを介して発光素子の他方
の電極に印加する。
【００２５】
なお、本発明において、適用可能なトランジスタの種類に限定はなく、非晶質シリコン
や多結晶シリコンに代表される非単結晶半導体膜を用いた薄膜トランジスタ（ＴＦＴ）、
半導体基板やＳＯＩ基板を用いて形成されるＭＯＳ型トランジスタ、接合型トランジスタ
、バイポーラトランジスタ、有機半導体やカーボンナノチューブを用いたトランジスタ、
その他のトランジスタを適用することができる。また、トランジスタが配置されている基
板の種類に限定はなく、単結晶基板、ＳＯＩ基板、ガラス基板などに配置することが出来
る。
【００２６】
また、本発明において、接続されているとは、電気的に接続されていることと同義であ
る。したがって、本発明が開示する構成において、所定の接続関係に加え、その間に電気
的な接続を可能とする他の素子（例えば、別の素子やスイッチなど）が配置されていても
よい。
【００２７】
また、画素などにおける容量素子は、トランジスタなどのゲート容量によって、代用す
ることが出来る。その場合は、容量素子を省略できる。
【００２８】
また、スイッチは、電気的スイッチでも機械的なスイッチでも何でも良い。電流の流れ
を制御できるものなら、何でも良い。トランジスタでもよいし、ダイオードでもよいし、
それらを組み合わせた論理回路でもよい。よって、スイッチとしてトランジスタを用いる
場合、そのトランジスタは、単なるスイッチとして動作するため、トランジスタの極性（
導電型）は特に限定されない。ただし、オフ電流が少ない方が望ましい場合、オフ電流が
少ない方の極性のトランジスタを用いることが望ましい。オフ電流が少ないトランジスタ
としては、ＬＤＤ領域を設けているもの等がある。また、スイッチとして動作させるトラ
ンジスタのソース端子の電位が、低電位側電源（Ｖｓｓ、Ｖｇｎｄ、０Ｖなど）に近い状
態で動作する場合はｎチャネル型を、反対に、ソース端子の電位が、高電位側電源（Ｖｄ
ｄなど）に近い状態で動作する場合はｐチャネル型を用いることが望ましい。なぜなら、
ゲート・ソース間電圧の絶対値を大きくできるため、スイッチとして、動作しやすいから
である。なお、ｎチャネル型とｐチャネル型の両方を用いて、ＣＭＯＳ型のスイッチにし
てもよい。
【発明の効果】
【００２９】
定電圧駆動を用いる本発明は、定電流駆動を用いる場合と比較すると、発光素子の駆動電
圧を低くすることができるため、消費電力を削減することができる。
【図面の簡単な説明】
【００３０】
【図１】本発明の表示装置を説明する図。
【図２】電圧・電流特性の温度依存性を説明する図
【図３】電圧・電流特性の経時劣化を説明する図
【図４】モニター素子と発光素子の劣化を説明する図。
【図５】本発明の温度補償機能を説明する図。
【図６】本発明の温度補償機能を説明する図。
【図７】本発明の表示装置を説明する図。
【図８】本発明の表示装置を説明する図。
【図９】本発明の適用することができる画素構成を示す図。
【図１０】発光素子の経時劣化及び温度依存による電圧電流特性を示す図。
【図１１】本発明の表示装置の構成を説明する図。
【図１２】本発明の表示装置の構成を説明する図。
【図１３】本発明の表示装置の構成を説明する図。
【図１４】本発明の表示装置の構成を説明する図。
【図１５】本発明の表示装置の構成を説明する図。
【図１６】本発明の表示装置の構成を説明する図。
【図１７】本発明の表示装置の構成を説明する図。
【図１８】本発明の表示装置の構成を説明する図。
【図１９】本発明の表示装置の構成を説明する図。
【図２０】本発明の表示装置の構成を説明する図。
【図２１】本発明の表示装置の構成を説明する図。
【図２２】本発明の表示装置の構成を説明する図。
【図２３】本発明の表示装置の構成を説明する図。
【図２４】本発明の表示装置の構成を説明する図。
【図２５】本発明の表示装置の構成を説明する図。
【図２６】本発明の表示装置の構成を説明する図。
【図２７】本発明の表示装置の構成を説明する図。
【図２８】本発明の表示装置を具備する電子機器を示す図。
【図２９】本発明の表示装置の構成を説明する図。
【図３０】本発明の表示装置の構成を説明する図。
【発明を実施するための形態】
【００３１】
本発明の実施の形態について、図面を用いて詳細に説明する。但し、本発明は以下の説
明に限定されず、本発明の趣旨及びその範囲から逸脱することなくその形態及び詳細を様
々に変更し得ることは当業者であれば容易に理解される。従って、本発明は以下に示す実
施の形態の記載内容に限定して解釈されるものではない。
【００３２】
本発明による温度及び劣化補償の基本原理を図１を用いて説明する。図１は温度及び劣
化補償回路を有する表示装置の模式図を示したものである。
【００３３】
本発明の表示装置は、ゲートドライバ１０７、ソースドライバ１０８及び画素部１０９を
備える。画素部１０９は複数の画素１０６から構成される。そして、本発明の表示装置は
温度及び劣化補償回路（以下補償回路という）を有する。
【００３４】
補償回路の基本構成について説明する。電流源１０１、モニター素子１０２、バッファア
ンプ１０３、駆動ＴＦＴ１０４、発光素子１０５を有する。なお、モニター素子１０２は
発光素子１０５と同一の電流特性を持つ発光素子で形成する。例えばＥＬ材料を用いて発
光素子を形成する場合には、モニター素子１０２と発光素子１０５は同じＥＬ材料を、同
じ条件で作製するようにする。
【００３５】
電流源１０１はモニター素子１０２に一定の電流を供給する。つまりモニター素子１０２
の電流値は常に一定である。この状態で環境温度が変化すると、モニター素子１０２自体
の抵抗値が変化する。モニター素子１０２の抵抗値が変化すると、当該モニター素子１０
２の電流値は一定であることから、モニター素子１０２の両電極間の電位差が変化する。
この温度変化によるモニター素子１０２の電位差を検出することで環境温度の変化を検出
する。より詳しくは、モニター素子１０２の一定の電位に保たれている側の電極の電位、
つまり図１では陰極（定電位電源）１１０の電位は変わらないので、電流源１０１に接続
されている側の電位、つまり図１では陽極１１１側の電位の変化を検出する。
【００３６】
図２はモニター素子の電圧・電流特性の温度依存性を示す図である。室温、低温、高温で
のモニター素子１０２の電圧・電流特性をそれぞれ線２０１、２０２、２０３に示す。電
流源１０１からモニター素子１０２へ流れる電流値がＩ０であるとき、室温ではモニター
素子にＶ０の電圧がかかっていることになる。そして、低温時ではＶ１の電圧となり、高
温時ではＶ２の電圧となる。
【００３７】
このようなモニター素子１０２の電圧の変化を含む情報は、バッファアンプ１０３に供
給され、陽極１１１の電位に基づき当該バッファアンプ１０３で発光素子１０５に供給す
る電位を設定する。つまり図２のように環境温度が低温となった場合には発光素子１０５
にＶ１の電圧がかかるように電位を設定し、高温となった場合には発光素子１０５にＶ２
の電圧がかかるように電位を設定する。そうすると、温度変化に合わせて、発光素子１０
５に入力する電源電位を補正することができる。つまり、温度変化に起因した電流値の変
動を抑制することができる。
【００３８】
また、図３はモニター素子１０２の電圧・電流特性の経時劣化を示す図である。モニタ
ー素子１０２の初期特性を線３０１、劣化後の特性を３０２で表している。なお、初期特
性と劣化後の特性は同じ温度条件で測定したものとする。初期特性の状態でモニター素子
１０２に電流Ｉ０が流れるとモニター素子１０２にかかる電圧はＶ３、劣化後のモニター
素子１０２にかかる電圧はＶ４となる。よって、このＶ４の電圧を、同様に劣化した発光
素子１０５に印加するようにすれば、見かけ上の発光素子１０５の劣化を低減することが
できる。このように、モニター素子１０２も発光素子１０５とともに劣化するため、発光
素子１０５の劣化に対しても補償することができる。
【００３９】
このようにモニター素子１０２の陽極１１１の電位の変化に合わせて発光素子１０５の
陽極に同電位を設定するバッファアンプ１０３には、図６（Ａ）に示されるオペアンプ６
０１を用いたボルテージフォロワ回路を適用することができる。ボルテージフォロワ回路
の非反転入力端子は高入力インピーダンスで、出力端子は低出力インピーダンスであるた
め入力端子と出力端子を同電位とし、電流源１０１の電流がボルテージフォロワ回路に流
れ込むことなく出力端子からは電流を流すことができるからである。
【００４０】
あるいは、バッファアンプ１０３には、図６（Ｂ）の様にオペアンプ６０２の出力端子
をトランジスタ６０３のベースに接続し、トランジスタ６０３のエミッタ端子は正電源に
接続され、トランジスタ６０３のコレクタ端子をオペアンプ６０２の反転入力端子に接続
した構成にしてもよい、この場合にはトランジスタで電流増幅をすることができるため、
オペアンプの出力負荷を小さくすることができる。回路としては図６（Ａ）に示されたボ
ルテージフォロワ回路と等価であり、以後明細書内において、ボルテージフォロワ回路と
記載している部分については、図６（Ｂ）に示された構成のものも適用することができる
。
【００４１】
本実施の形態の補償回路を有する表示装置の具体的構成について図７を用いて説明する
。表示装置はゲートドライバ７０７、ソースドライバ７０８、画素部７０９を有する。ソ
ースドライバはパルス出力回路７１０、第１のラッチ回路１７０、第２のラッチ回路７１
１を有する。第１のラッチ回路に入力を行っている時に第２のラッチ回路では出力を行う
ことができる。そして、ゲートドライバ７０７から信号が入力されるゲート線により選択
された画素７０６のスイッチング用トランジスタ７１２がオン状態となる。そして、第２
のラッチ回路７１１により出力された信号をソース信号線Ｓ１〜Ｓｍから保持容量７１３
に書き込む。この保持容量７１３に書き込まれた信号によって、駆動トランジスタ７０４
がオン状態とオフ状態を切り変えし、発光素子の点灯、非点灯が決まる。つまり、電源線
Ｖ１〜Ｖｍの電位が、オン状態である駆動トランジスタ７０４を介して、発光素子７０５
の陽極に設定され、発光素子７０５に電流が供給され、発光する。
【００４２】
本発明は、基本電流源７０１から、並列接続したモニター素子７０２ａ〜７０２ｎに電
流を流す。これらのモニター素子７０２ａ〜７０２ｎの陽極の電位を検出し、ボルテージ
フォロワ回路７０３により電源線Ｖ１〜Ｖｍに電位を設定する。こうして、温度及び劣化
補償の機能を備えた表示装置を提供することができる。
【００４３】
このように温度及び劣化補償の機能を備えた駆動方法のことをコンスタントブライトネ
スともいう。
【００４４】
なお、モニター素子の数は適宜選択することができる。もちろん、一個でも構わないし
、図７の用に複数配置しても構わない。モニター素子を一つだけ用いるときには基本電流
源７０１に流す電流値は各画素の発光素子７０５に流したい電流値を設定すればよいため
消費電力が少なくてすむ。また、複数のモニター素子を配置すればモニター素子毎の特性
のばらつきを平均化することができる。
【００４５】
なお、図７の構成では各画素の発光素子７０５の陰極はＧＮＤに設定されているがこれ
に限定されない。
【００４６】
また、ＲＧＢの画素毎に電源線の電位を設定することもできる。その一例を図８に示す
。図７の表示装置と共通のところは共通の符号を用いている。また、詳しい動作について
は、図７と同じなので省略する。
【００４７】
また、画素７０６としては、このような構成に限られず、図９に示した構成を適用する
こともできる。図９に示す画素９０６はスイッチング用トランジスタ９０１と駆動用トラ
ンジスタ９０２と、消去用トランジスタ９０３と、容量素子９０４と発光素子９０５を有
する。
【００４８】
図８の表示装置において信号線Ｓ１の接続されている画素がＲの発光をする画素、信号
線Ｓ２の接続されている画素がＧの発光をする画素、信号線Ｓ３の接続されている画素が
Ｂの発光をする画素とする。基本電流源８０１ａはモニター素子８０２ａに電流を供給し
、ボルテージフォロワ回路８０３ａがモニター素子８０２ａの陽極の電位を検出し、この
電位を電源線Ｖ１に設定する。基本電流源８０１ｂはモニター素子８０２ｂに電流を供給
し、ボルテージフォロワ回路８０３ｂがモニター素子８０２ｂの陽極の電位を検出し、こ
の電位を電源線Ｖ２に設定する。基本電流源８０１ｃはモニター素子８０２ｃに電流を供
給し、ボルテージフォロワ回路８０３ｃがモニター素子８０２ｃの陽極の電位を検出し、
この電位を電源線Ｖ３に設定する。こうして、ＲＧＢ毎に電位を設定することができるた
め、例えば、ＲＧＢ毎のＥＬ材料によって温度特性や劣化特性が異なるときに、所望の電
位を発光素子に設定することができる。つまりＲＧＢ毎に電源電位を補正することができ
る。
【００４９】
（実施の形態１）
本実施の形態では劣化補償の精度をさらに高めた構成について説明する。
【００５０】
表示装置を長期間使用し続けると、モニター素子と発光素子には劣化の進行に誤差が生
じてくる。この誤差は使用期間が長ければ長いほど大きくなり、劣化補償の機能が低下す
ることになる。
【００５１】
ここで、劣化に誤差が生じた場合について図４を用いて説明する。モニター素子１０２
及び発光素子１０５の電圧・電流特性の初期特性を線４０１、表示装置をある期間使用し
たときのモニター素子１０２の劣化後の特性を線４０２、発光素子１０５の劣化後の特性
を線４０３で表している。このようにモニター素子１０２の劣化と発光素子１０５の劣化
の進行には差が生じる。なぜならば、表示装置が表示を行っている時には常にモニター素
子１０２には電流が流れ続けている。ところが画素のそれぞれの発光素子１０５は発光し
ている期間と非発光期間が存在するためモニター素子１０２と発光素子１０５の経時劣化
には誤差が生じてくる。つまり、モニター素子の劣化に比べ、発光素子の劣化の進行は遅
れることになる。
【００５２】
ここで、モニター素子１０２の初期特性において、モニター素子１０２に電流値Ｉ０の
電流が流れるとき、初期特性ではモニター素子にはＶ５の電圧がかかることになる。そし
て、発光素子１０５の劣化後ではＶ６、モニター素子１０２の劣化後ではＶ７の電圧がか
かることになる。逆に言えば劣化後の発光素子１０５に電流値Ｉ０を流すためにはＶ６の
電圧を印加する必要があり、劣化後のモニター素子１０２に電流値Ｉ０を流すためにはＶ
７の電圧を印加する必要がある。
【００５３】
この状態でモニター素子１０２の陽極１１１の電位Ｖ７を検出し、バッファアンプ１０
３によって発光素子にこの電位Ｖ７が設定されると、発光素子に電流値Ｉ０を流すために
必要な電圧Ｖ６以上の電圧が印加されることになり消費電力が大きくなってしまう。また
、画素の各々の発光素子は劣化の進行が異なるため、必要以上の電圧が加わると、発光素
子の焼きつきが目立つようになる。
【００５４】
そこで、本実施の形態では、各々の発光素子の劣化とモニター素子の劣化の進行をより
近いものにして、劣化補償の精度を向上させるものである。
【００５５】
そのため、本実施の形態では、表示装置の各画素の発光素子の発光期間の平均した期間
をモニター素子に流す電流の期間に設定する。好ましくは、表示装置が表示を行っている
期間の１０％から７０％の期間をモニター素子に電流が流れるようにする。
【００５６】
ここで、表示装置において各画素の発光素子の発光期間と非発光期間の比の平均値は３
：７の比であることが経験的に知られている。よって、より好ましくは表示装置が表示を
行っている期間のうち３０％の期間をモニター素子に電流を流すようにする。
【００５７】
モニター素子の発光期間を設定することができる補償回路の構成を図５に示す。電流源
５０１、モニター素子５０２、ボルテージフォロワ回路５０３、駆動トランジスタ５０４
、発光素子５０５、容量素子５０６、第一のスイッチ５０７及び第二のスイッチ５０８を
有する。
【００５８】
モニター素子５０２に定電流を流すときには第一のスイッチ５０７及び第二のスイッチ
５０８をオン状態にする。するとモニター素子５０２に電流が流れ、モニター素子５０２
の陽極５０９側の電位が容量素子５０６に蓄積されるとともに、ボルテージフォロワ回路
５０３の非反転入力端子にこの電位が入力され、出力端子に同電位が出力される。こうし
て、環境温度の変化により電圧・電流特性の変化した発光素子１０５に所望の電位を設定
することができる。
【００５９】
そして、モニター素子５０２を非発光とするときには、第一のスイッチ５０７及び第二
のスイッチ５０８をオフ状態にし、モニター素子５０２の陽極５０９側の電位を容量素子
５０６に保持させる。このとき第二のスイッチ５０８は第一のスイッチ５０７と同時にオ
フ状態にさせるか、少なくとも先にオフ状態にさせる。第一のスイッチ５０７が第二のス
イッチ５０８より先にオフ状態にしてしまうと、モニター素子５０２の陽極側の電位を蓄
積していた容量の電位が変動してしまうからである。
【００６０】
こうして非発光期間においても、第二のスイッチ５０８をオフ状態にした瞬間のモニタ
ー素子５０２の陽極５０９側の電位が、ボルテージフォロワ回路５０３の非反転入力端子
に入力される。そしてボルテージフォロワ回路５０３の出力端子には同電位が出力され、
第二のスイッチ５０８をオフ状態にした瞬間のモニター素子５０２に流れていた電流を発
光素子に流すことができる。
【００６１】
この構成においてはモニター素子に電流を流している期間に温度補償機能を果たすこと
ができるので、劣化補償と温度補償の両方を実現することができる。本実施の形態におい
ては、特に劣化補償の機能が優れている。
【００６２】
ここで、表示装置の時間階調表示において、１フレーム期間あたりの各画素の発光と非
発光の比の平均値は３０：７０の比であることが経験的に知られている。よって、表示装
置の表示を行っている間中、電流を流し続けるモニター素子に流れる電流量と、各発光素
子に流れる電流量の平均の比は１００：３０になることが分かる。よって、モニター素子
に電流を流す期間を１フレーム期間あたり３０％に設定することでモニター素子と、画素
の発光素子の劣化の進行を近づけることができる。つまり劣化補償の精度を向上させるこ
とができる。
【００６３】
また、上記構成においてＲＧＢ毎に劣化補償のモニター素子を設け、さらなる精度の向
上した劣化補償及び温度補償機能を実現することができる。ＲＧＢ毎にＥＬの劣化進行や
寿命が異なる場合や、ＲＧＢ毎に流れる電流の温度特性が異なる場合に、それぞれのＲＧ
Ｂ毎の発光素子に対応したモニター素子を設けて温度補償及び劣化補償を行うとよい。さ
らにＲＧＢのそれぞれの発光期間の発光期間と非発光期間の比の平均値（デューティー比
）に合わせてそれぞれのＲＧＢ毎のモニター素子の発光期間を設定することでさらなる劣
化補償の精度が向上する。つまり、モニター素子の劣化進行と各発光素子の劣化の進行の
平均値が概ね等しくなるので、より劣化補償の制度が高くなる。さらに、モニター素子も
同色のＥＬ材料を用いることができるので発光素子温度補償の精度も向上させることがで
きる。そのような構成としては、図８に示した表示装置に適用することで実現できる。
【００６４】
（実施の形態２）
本実施の形態では消費電力を抑えることができ、かつ温度および劣化による素子の特性
変動を補償することができる表示装置の構成について説明する。
【００６５】
表示装置を構成する際に必要な構成要素について図２９のブロック図を用いて説明する
。電源回路１１０７は例えばバッテリーなど外部から供給される電源から表示装置内で必
要な複数の電位を作るための回路であり、画素部１１０３に表示信号を供給するソースド
ライバ１１０４、表示信号を供給する画素を選択するゲートドライバ１１０５、コントロ
ーラ１１０８等に電源を供給する。ビデオメモリ１１０９は外部から入力される画像デー
タや表示装置の駆動情報を保存するための装置である。
【００６６】
また、コントローラ１１０８とはＣＰＵなどの外部から入力される画像データから、必
要に応じてビデオメモリ１１０９を用い、表示装置で表示できるようにするために必要な
信号を作りだすための装置であり、ソースドライバ１１０４やゲートドライバ１１０５に
信号を供給する。コントローラ１１０８は電源回路１１０７の制御をおこない、電源回路
１１０７でソースドライバ１１０４やゲートドライバ１１０５や画素部１１０３で必要な
電位を作り出す場合もある。
【００６７】
さらに、発光素子の特性変動を補償することのできる表示装置を構成する際に必要な構
成要素について図３０のブロック図を用いて説明する。コントローラ１１０８、ビデオメ
モリ１１０９、ソースドライバ１１０４、ゲートドライバ１１０５については機能が同じ
であるため、説明を省略する。補償回路１１１０の働きについては本明細書中で既に説明
したが、モニター画素１１１１の特性変動をセンシングし、モニター画素の特性変動に応
じて画素部１１０３に供給する電源電位を決定する回路である。
【００６８】
図１１は消費電力を抑えることのできる表示装置の構成を示すものであり、複数のトラ
ンジスタで構成される画素がマトリクス状に配置された画素部１１０３を有する第１基板
（表示基板）１１０１はソースドライバ１１０４、ゲートドライバ１１０５を有し、第１
基板１１０１は接続配線１１０６を介して回路基板（第２基板）１１０２と接続し、回路
基板１１０２は電源回路１１０７、コントローラ１１０８、ビデオメモリ１１０９を有し
ている。
【００６９】
ソースドライバ１１０４は画素回路を構成するトランジスタと同層に形成されたトラン
ジスタにより構成してもよいし、別の工程で作製され第１基板１１０１上に実装してもよ
い。
【００７０】
ソースドライバ１１０４は画素回路を構成するトランジスタと同層に形成されたトラン
ジスタにより構成した場合には、別の工程で作製されたドライバＩＣを実装する場合と比
較して、部品点数を削減することができ、コストを下げることができる。
【００７１】
一方、ソースドライバ１１０４を別の工程で作製し、第１基板１１０１に実装した場合
には、前述の別の工程で作製したトランジスタの方が第１基板を作製する工程で作製した
トランジスタと比較し、トランジスタ特性が、例えば移動度が高く閾値などの特性ばらつ
きが小さいといった様に優れている場合において、駆動電圧を下げることができ低消費電
力を実現することができる。
【００７２】
特に、１フレーム期間を複数のフレームに分割し、合計の点灯期間の長さで階調表現を
行う時間階調駆動を用いる場合には、ソースドライバに上記の様に特性が優れたトランジ
スタを用いたものを使うことにより、ソースドライバが高速に動作することができるため
８ｂｉｔ以上の多階調表示を実現し、滑らかな表示を提供することができる。
【００７３】
ゲートドライバ１１０５は画素回路を構成するトランジスタと同層に形成されたトラン
ジスタにより構成してもよいし、別の工程で作製され第１基板１１０１上に実装されても
よい。
【００７４】
ゲートドライバ１１０５は画素回路を構成するトランジスタと同層に形成されたトラン
ジスタにより構成した場合には、別の工程で作製されたドライバＩＣを実装する場合と比
較して、部品点数を削減することができ、コストを下げることができる。
【００７５】
一方、ゲートドライバ１１０５を別の工程で作製し、第１基板１１０１に実装した場合
には、前述の別の工程の方が第１基板を作製する工程と比較し、トランジスタ特性が、例
えば移動度が高く閾値などの特性ばらつきが小さいといった様に優れている場合において
、高歩留まり、低消費電力を実現することができる。
【００７６】
電源回路１１０７、コントローラ１１０８、ビデオメモリ１１０９はそれぞれ別のＩＣ
として回路基板１１０２上に実装されてもよいが、１つのＩＣ上に集積してもよく、この
場合には部品点数が削減し、コストが削減できると同時に回路基板１１０２上の実装面積
を小さくすることができ、表示装置の小型化をはかることができる。また、１つのＩＣ内
に設けることが難しいコイルや容量素子については、回路基板１１０２に直接実装しても
よい。
【００７７】
これらのＩＣを構成するものとしては、ＣＭＯＳ  ＩＣでも、バイポーラＩＣでもよい
が、ＣＯＭＳ  ＩＣとバイポーラＩＣを積層したものを用いたり、ＢｉＣＭＯＳ  ＩＣ用
いたりすることで、低消費電力に抑え、かつ電源供給能力の大きいものを提供することが
できる。
【００７８】
図１２は消費電力を抑え、かつ温度および劣化による素子の特性変動を補償することが
できる表示装置の構成を示すものであり、図１１に示された構成の回路基板１１０２上に
補償回路１１１０を設けている。
【００７９】
電源回路１１０７、コントローラ１１０８、ビデオメモリ１１０９、補償回路１１１０
はそれぞれ別のＩＣとして回路基板１１０２上に実装してもよいし、１つのＩＣ上に集積
してもよい。また、１つのＩＣ上に実装することが難しいコイルや容量素子については、
回路基板１１０２に直接実装してもよい。
【００８０】
図１３は消費電力を抑え、かつ温度および劣化による素子の特性変動を補償することが
できる表示装置の構成を示すものであり、図１１に示された構成の第１基板１１０１上に
補償回路１１１０を設けている。
【００８１】
補償回路１１１０は画素回路を構成するトランジスタと同層に形成されたトランジスタ
により構成するとよい。この場合は第１基板１１０１と同じプロセスで補償回路１１１０
を作製することができるため、部品点数が削減でき、コストを下げることができる。ただ
し、画素回路を構成するトランジスタと同層のトランジスタを用いて補償回路を構成する
場合において、電流供給能力が不足する場合には、回路基板１１０２上あるいは電源回路
１１０７中にトランジスタを設け電流増幅を図ってもよい。
【００８２】
また、補償回路１１１０はソースドライバ１１０４と共に別の工程で作製し、１つのＩ
Ｃに集積して第１基板１１０１上に実装してもよく、ソースドライバ１１０４を別の工程
で作製する場合と比較し、部品点数を増やすことなく、温度および劣化補償を得ることが
できる。この場合においても、電流供給能力が不足する場合には、回路基板１１０２上あ
るいは電源回路１１０７中にトランジスタを設け電流増幅を図ってもよい。
【００８３】
図１４は消費電力を抑えることのできる表示装置の構成を示すものであり、複数のトラ
ンジスタで構成される画素がマトリクス状に配置された画素部１１０３を有する第１基板
１１０１はソースドライバ１１０４、ゲートドライバ１１０５を有し、第１基板１１０１
は接続配線１１０６を介して回路基板１１０２と接続し、回路基板１１０２はコントロー
ラ１１０８、ビデオメモリ１１０９を有し、接続配線１１０６上に電源回路１１０７が設
けられている。
【００８４】
電源回路１１０７が接続配線１１０６上に設けられることにより、回路基板１１０２上
の実装面積を小さくすることができ、表示装置全体の小型化を図ることができる。この場
合において、電源回路１１０７はコイルや容量素子を必要とする場合があるが、コイルや
容量素子は接続配線１１０６上に設けてもよいし、回路基板１１０２上に設けてもよく、
小さな容量素子等は接続配線１１０６上に設け、大きなコイル等は回路基板１１０２上に
設けるといったように、両方に設けてもよい。
【００８５】
また、電源回路１１０７を構成要素としては、バイポーラＩＣを用いてもよいし、ＣＭ
ＯＳ  ＩＣとバイポーラトランジスタを組み合わせて用いてもよいし、バイポーラＩＣと
ＣＯＭＳ  ＩＣを積層してもよいし、ＢｉＣＭＯＳ  ＩＣを用いてもよく、この場合は低
消費電力と高い電流供給とを両立することができる。
【００８６】
図１５は消費電力を抑え、かつ温度および劣化による素子の特性変動を補償することが
できる表示装置の構成を示すものであり、図１４に示された構成の第１基板１１０１上に
補償回路１１１０を設けている。
【００８７】
補償回路１１１０は画素部１１０３内の画素を構成するトランジスタと同層のトランジ
スタを用いて構成してもよく、別の工程で作製したものを第１基板１１０１に実装しても
よい。また、ソースドライバ１１０４と同じ１つのＩＣで構成してもよく、それぞれ別の
ＩＣとして作製し、積層してもよい。
【００８８】
図１６は消費電力を抑え、かつ温度および劣化による素子の特性変動を補償することが
できる表示装置の構成を示すものであり、図１４に示された構成の接続配線１１０６上に
補償回路１１１０を設けている。
【００８９】
補償回路１１１０は独立した１つのＩＣであってもよいが、電源回路１１０７と同一の
ＩＣとして集積することで、部品点数を削減し、コストを下げることができる。
【００９０】
図１７は消費電力を抑えることのできる表示装置の構成を示すものであり、複数のトラ
ンジスタで構成される画素がマトリクス状に配置された画素部１１０３を有する第１基板
１１０１はソースドライバ１１０４、ゲートドライバ１１０５、電源回路１１０７を有し
、第１基板１１０１は接続配線１１０６を介して回路基板１１０２と接続し、回路基板１
１０２はコントローラ１１０８、ビデオメモリ１１０９を有している。
【００９１】
電源回路を第１基板１１０１上に設けることで、回路基板１１０２上の実装面積を小さ
くすることができる。更に、回路基板１１０２上のビデオメモリ１１０９とコントローラ
１１０８を１つのＩＣで構成することで回路基板１１０２上の実装面積を小さくすること
ができ、表示装置の小型化を図ることができる。
【００９２】
第１基板１１０１上のソースドライバ１１０４および電源回路１１０７は共に画素を構
成するトランジスタと同層のトランジスタで構成することにより、部品点数を削減し、製
造コストを抑えることができる。ここで、電源回路で必要とするコイルや容量素子は、第
１基板１１０１上にトランジスタと同様に作製してもよいが、作製できないあるいは性能
が不足する場合には、別の工程で作製したコイルや容量素子を用いるとよく、第１基板１
１０１上に実装してもよいし、接続配線１１０６上に設けてもよいし、回路基板１１０２
上に設けてもよく、容量素子は第１基板１１０１上、コイルは接続配線１１０６上といっ
たように複数の場所に設けてもよい。
【００９３】
第１基板１１０１上のソースドライバ１１０４および電源回路１１０７は第１基板１１
０１とは別の工程で作製したＩＣを実装してもよい。ソースドライバ１１０４にはＣＭＯ
Ｓ  ＩＣを用い、電源回路１１０７にはバイポーラＩＣを用いることで、低消費電力と高
い電源供給能力を両立することができる。ここで、ＭＯＳ  ＩＣを用いたソースドライバ
１１０４とバイポーラＩＣを用いた電源回路１１０７を積層して配置することで、第１基
板１１０１上の実装面積を小さくすることができる。また、ＢｉＣＭＯＳ  ＩＣを用いる
ことにより、ＩＣ１つでソースドライバ１１０４および電源回路１１０７を構成すること
ができ、この場合も低消費電力と高い電源供給能力を両立することができ、第１基板１１
０１上の実装面積を小さくすることができる。
【００９４】
バイポーラＩＣあるいはＢｉＣＭＯＳ  ＩＣで電源回路を構成する場合において、コイ
ルや容量素子は第１基板１１０１上に設けてもよいし、回路基板１１０２上に設けてもよ
いし、接続配線１１０６上に設けてもよく、容量素子は第１基板１１０１上、コイルは接
続配線１１０６上といったように複数の場所に設けてもよい。
【００９５】
図１８は消費電力を抑え、かつ温度および劣化による素子の特性変動を補償することが
できる表示装置の構成を示すものであり、図１７に示された構成の第１基板１１０１上に
補償回路１１１０を設けている。
【００９６】
補償回路１１１０は画素部１１０３内の画素を構成するトランジスタと同層のトランジ
スタを用いて構成してもよく、別の工程で作製したものを第１基板１１０１に実装しても
よい。また、ソースドライバ１１０４、電源回路１１０７、補償回路１１１０はそれぞれ
別のＩＣとして実装されてもよいが、機能を集積し実装するＩＣの個数を減らすことによ
り、製造コストを下げると同時に実装面積を小さくすることができ、表示装置の小型化を
図ることができる。例えばＢｉＣＭＯＳ  ＩＣを用いることで１つのＩＣで低消費電力と
高い電源供給能力を両立することができるため、機能を集積するのに適している。
【００９７】
図１９は消費電力を抑えることのできる表示装置の構成を示すものであり、複数のトラ
ンジスタで構成される画素がマトリクス状に配置された画素部１１０３を有する第１基板
１１０１はソースドライバ１１０４、ゲートドライバ１１０５、電源回路１１０７、コン
トローラ１１０８、ビデオメモリ１１０９を有しており、接続配線１１０６を介し画像デ
ータや電源が供給される。
【００９８】
ソースドライバ１１０４、ゲートドライバ１１０５、電源回路１１０７、コントローラ
１１０８、ビデオメモリ１１０９はそれぞれ画素部１１０３を構成するトランジスタと同
層のトランジスタを用いて作製することにより、部品点数を削減することができ、製造コ
ストを抑えることができる。
【００９９】
また、ソースドライバ１１０４、ゲートドライバ１１０５、電源回路１１０７、コント
ローラ１１０８、ビデオメモリ１１０９はそれぞれ独立したＩＣとして第１基板１１０１
とは別の工程で作製されたものを第１基板１１０１上に実装してもよい。また、ゲートド
ライバ１１０５は速い動作が要求されないため、ゲートドライバ１１０５のみ画素部１１
０３を構成するトランジスタと同層のトランジスタを用いて作製し、ソースドライバ１１
０４、電源回路１１０７、コントローラ１１０８、ビデオメモリ１１０９は別工程で作製
されたものを第１基板１１０１上に実装するといったように、使い分けてもよい。
【０１００】
上記を構成するＩＣとしては、電源回路１１０７にはバイポーラＩＣを用い、ドライバ
部やコントローラ１１０８はＣＭＯＳ  ＩＣを用いるといったように使い分けるとよく、
これら複数のＩＣを積層し、１チップ化することで実装面積を小さくすることができ、表
示装置の小型化を図ることができ、さらに、ＢｉＣＭＯＳ  ＩＣを用いることで、機能に
応じてバイポーラＩＣとＣＭＯＳ  ＩＣとに作り分けていたものを１つのＩＣに集積する
ことができ、実装面積を小さくすることができ、表示装置の小型化を図ることができる。
【０１０１】
また、第１基板１１０１上、あるいは電源回路を構成するＩＣ上に、容量素子やコイル
を作りこむことが難しい場合や性能が不足する場合には、第１基板１１０１上、あるいは
接続配線２２０６上にコイルや容量素子を実装してもよい。
【０１０２】
図２０は消費電力を抑え、かつ温度および劣化による素子の特性変動を補償することが
できる表示装置の構成を示すものであり、図１９に示された構成の第１基板１１０１上に
補償回路１１１０を設けている。
【０１０３】
補償回路１１１０は画素部１１０３内の画素を構成するトランジスタと同層のトランジ
スタを用いて構成してもよく、別の工程で作製したものを第１基板１１０１に実装しても
よい。また、ソースドライバ１１０４などと同じ１つのＩＣで構成してもよく、それぞれ
別のＩＣとして作製したものを実装してもよく、それぞれ別のＩＣとして作製したものを
積層して実装してもよい。
【０１０４】
図２１は消費電力を抑えることのできる表示装置の構成を示すものであり、複数のトラ
ンジスタで構成される画素がマトリクス状に配置された画素部１１０３を有する第１基板
１１０１はゲートドライバ１１０５を有し、第１基板１１０１は接続配線１１０６を介し
て回路基板１１０２と接続し、回路基板１１０２は電源回路１１０７、コントローラ１１
０８、ビデオメモリ１１０９を有し、接続配線１１０６上にソースドライバ１１０４が設
けられている。
【０１０５】
接続配線１１０６上にソースドライバ１１０４を設けることにより、第１基板１１０１
上の実装面積を小さくすることができるため、第１基板１１０１上の画素部１１０３を除
く周辺部分の面積を小さくすることができ、表示装置の小型化を図ることができる。また
、回路基板１１０２上の素子構成については、図１１で示された構成と同じであるため、
省略する。なお、接続配線１１０６上にゲートドライバ１１０５を設けても構わない。
【０１０６】
図２２は消費電力を抑え、かつ温度および劣化による素子の特性変動を補償することが
できる表示装置の構成を示すものであり、図２１に示された構成の回路基板１１０２上に
補償回路１１１０を設けている。
【０１０７】
このときの回路基板１１０２上の素子構成については、図１１で示された構成と同じで
あるため省略する。
【０１０８】
図２３は消費電力を抑え、かつ温度および劣化による素子の特性変動を補償することが
できる表示装置の構成を示すものであり、図２１に示された構成の接続配線１１０６上に
補償回路１１１０を設けている。
【０１０９】
補償回路１１１０はソースドライバ１１０４と共に第１基板１１０１とは別の工程で作
製し、１つのＩＣに集積して接続配線１１０６上に実装してもよく、図２２に示される構
成でソースドライバ１１０４を別の工程で作製する場合と比較し、部品点数を増やすこと
なく、温度および劣化補償を得ることができる。この場合においても、電流供給能力が不
足する場合には、回路基板１１０２上あるいは電源回路１１０７中にトランジスタを設け
電流増幅を図ってもよい。
【０１１０】
図２４は消費電力を抑えることのできる表示装置の構成を示すものであり、複数のトラ
ンジスタで構成される画素がマトリクス状に配置された画素部１１０３を有する第１基板
１１０１はゲートドライバ１１０５を有し、第１基板１１０１は接続配線１１０６を介し
て回路基板１１０２と接続し、回路基板１１０２はコントローラ１１０８、ビデオメモリ
１１０９を有し、接続配線１１０６上にソースドライバ１１０４、電源回路１１０７が設
けられている。
【０１１１】
接続配線１１０６上にソースドライバ１１０４、電源回路１１０７を設けることにより
、第１基板１１０１上、および回路基板１１０２上の実装面積を小さくすることができる
ため、表示装置の小型化を図ることができる。
【０１１２】
ソースドライバ１１０４にはＣＭＯＳを含むＩＣを用い、電源回路１１０７にはバイポ
ーラＩＣを用いることで、低消費電力と高い電源供給能力を両立することができる。ここ
で、ＣＭＯＳを含むＩＣを用いたソースドライバ１１０４とバイポーラＩＣを用いた電源
回路１１０７を積層して配置することで、接続配線１１０６上の実装面積を小さくするこ
とができる。また、ＢｉＣＭＯＳを含むＩＣを用いることにより、ＩＣ１つでソースドラ
イバ１１０４および電源回路１１０７を構成することができ、この場合も低消費電力と高
い電源供給能力を両立することができ、接続配線１１０６上の実装面積を小さくすること
ができる。
【０１１３】
バイポーラＩＣあるいはＢｉＣＭＯＳを含むＩＣで電源回路を構成する場合において、
コイルや容量素子をＩＣ上に作りこむことが難しい場合は、コイルや容量素子は接続配線
１１０６上に設けてもよいし、回路基板１１０２上に設けてもよく、容量素子は回路基板
１１０２上、コイルは接続配線１１０６上といったように複数の場所に設けてもよい。
【０１１４】
図２５は消費電力を抑え、かつ温度および劣化による素子の特性変動を補償することが
できる表示装置の構成を示すものであり、図２４に示された構成の接続配線１１０６上に
補償回路１１１０を設けている。
【０１１５】
ソースドライバ１１０４、電源回路１１０７、補償回路１１１０はそれぞれ別のＩＣと
して実装されてもよいが、機能を集積し実装するＩＣの個数を減らすことにより、製造コ
ストを下げると同時に実装面積を小さくすることができ、表示装置の小型化を図ることが
できる。例えばＢｉＣＭＯＳを含むＩＣを用いることで１つのＩＣで低消費電力と高い電
源供給能力を両立することができるため、機能を集積するのに適している。
【０１１６】
図２６は消費電力を抑えることのできる表示装置の構成を示すものであり、複数のトラ
ンジスタで構成される画素がマトリクス状に配置された画素部１１０３を有する第１基板
１１０１はゲートドライバ１１０５を有し、第１基板１１０１に接続された接続配線１１
０６上にコントローラ１１０８、ビデオメモリ１１０９、ソースドライバ１１０４、電源
回路１１０７が設けられている。
【０１１７】
接続配線１１０６上にコントローラ１１０８、ビデオメモリ１１０９、ソースドライバ
１１０４、電源回路１１０７を設けることにより、図２４では必要とされた回路基板１１
０２をなくすことができるため、表示装置の小型化を図ることができる。
【０１１８】
また、ソースドライバ１１０４、電源回路１１０７、コントローラ１１０８、ビデオメ
モリ１１０９はそれぞれ独立したＩＣとして第１基板１１０１とは別の工程で作製された
ものを接続配線１１０６上に実装してもよい。
【０１１９】
上記を構成するＩＣとしては、電源回路１１０７にはバイポーラＩＣを用い、ドライバ
部やコントローラ１１０８はＣＭＯＳを含むＩＣを用いるといったように使い分けるとよ
く、これら複数のＩＣを積層し、１チップ化することで実装面積を小さくすることができ
、表示装置の小型化を図ることができ、さらに、ＢｉＣＭＯＳを含むＩＣを用いることで
、機能に応じてバイポーラＩＣとＣＭＯＳを含むＩＣとに作り分けていたものを１つのＩ
Ｃに集積することができ、実装面積を小さくすることができ、表示装置の小型化を図るこ
とができる。
【０１２０】
また、電源回路を構成するＩＣ上に、容量素子やコイルを作りこむことが難しい場合や
性能が不足する場合には接続配線２２０６上にコイルや容量素子を実装してもよい。
【０１２１】
図２７は消費電力を抑え、かつ温度および劣化による素子の特性変動を補償することが
できる表示装置の構成を示すものであり、図２６に示された構成の接続配線１１０６上に
補償回路１１１０を設けている。
【０１２２】
補償回路１１１０は、ソースドライバ１１０４などと同じ１つのＩＣで構成してもよく
、それぞれ別のＩＣとして作製し実装してもよく、別のＩＣとして作製したものを積層し
て１チップ化して実装してもよい。
【実施例１】
【０１２３】
発光素子を含む画素領域を備えた表示装置を用いた電子機器として、テレビジョン装置
（テレビ、テレビジョン受信機）、デジタルカメラ、デジタルビデオカメラ、携帯電話装
置（携帯電話機）、ＰＤＡ等の携帯情報端末、携帯型ゲーム機、モニター、コンピュータ
、カーオーディオ等の音響再生装置、家庭用ゲーム機等の記録媒体を備えた画像再生装置
等が挙げられる。これらの電子機器の表示部に本発明の表示装置を適用することができる
。その電子機器の具体例について、図２８を参照して説明する。
【０１２４】
図２８（Ａ）に示す本発明の表示装置を用いた携帯情報端末は、本体９２０１、表示部
９２０２等を含み、本発明により消費電力を削減することができる。図２８（Ｂ）に示す
本発明の表示装置を用いたデジタルビデオカメラは、表示部９７０１、９７０２等を含み
、本発明により消費電力を削減することができる。図２８（Ｃ）に示す本発明の表示装置
を用いた携帯端末は、本体９１０１、表示部９１０２等を含み、本発明により消費電力を
削減することができる。図２８（Ｄ）に示す本発明の表示装置を用いた携帯型のテレビジ
ョン装置は、本体９３０１、表示部９３０２等を含み、本発明により消費電力を削減する
ことができる。図２８（Ｅ）に示す本発明の表示装置を用いた携帯型のコンピュータは、
本体９４０１、表示部９４０２等を含み、本発明により消費電力を削減することができる
。図２８（Ｆ）に示す本発明の表示装置を用いたテレビジョン装置は、本体９５０１、表
示部９５０２等を含み、本発明により消費電力を削減することができる。上記に挙げた電
子機器において、バッテリーを用いているものは、消費電力を削減した分、電子機器の使
用時間を長持ちさせることができ、バッテリーを充電する手間を省くことができる。
【符号の説明】
【０１２５】
１０１    電流源
１０２    モニター素子
１０３    バッファアンプ
１０４    駆動ＴＦＴ
１０５    発光素子
１０６    画素
１０７    ゲートドライバ
１０８    ソースドライバ
１０９    画素部
１１０    陰極
１１１    陽極
１７０    ラッチ回路
２０１    線
３０１    線
４０１    線
４０２    線
４０３    線
５０１    電流源
５０２    モニター素子
５０３    ボルテージフォロワ回路
５０４    駆動トランジスタ
５０５    発光素子
５０６    容量素子
５０７    スイッチ
５０８    スイッチ
５０９    陽極
６０１    オペアンプ
６０２    オペアンプ
６０３    トランジスタ
７０１    基本電流源
７０３    ボルテージフォロワ回路
７０４    駆動トランジスタ
７０５    発光素子
７０６    画素
７０７    ゲートドライバ
７０８    ソースドライバ
７０９    画素部
７１０    パルス出力回路
７１１    ラッチ回路
７１２    スイッチング用トランジスタ
７１３    保持容量
９０１    スイッチング用トランジスタ
９０２    駆動用トランジスタ
９０３    消去用トランジスタ
９０４    容量素子
９０５    発光素子
９０６    画素
１１０１    表示基板（第１基板）
１１０２    回路基板（第２基板）
１１０３    画素部
１１０４    ソースドライバ
１１０５    ゲートドライバ
１１０６    接続配線
１１０７    電源回路
１１０８    コントローラ
１１０９    ビデオメモリ
１１１０    補償回路
１１１１    モニター画素
２２０６    接続配線
７０２ａ    モニター素子
８０１ａ    基本電流源
８０１ｂ    基本電流源
８０１ｃ    基本電流源
８０２ａ    モニター素子
８０２ｂ    モニター素子
８０２ｃ    モニター素子
８０３ａ    ボルテージフォロワ回路
８０３ｂ    ボルテージフォロワ回路
８０３ｃ    ボルテージフォロワ回路
９１０１    本体
９１０２    表示部
９２０１    本体
９２０２    表示部
９３０１    本体
９３０２    表示部
９４０１    本体
９４０２    表示部
９５０１    本体
９５０２    表示部
９７０１    表示部
【図１】
2015121812.tif 000003
【図２】
2015121812.tif 000004
【図３】
2015121812.tif 000005
【図４】
2015121812.tif 000006
【図５】
2015121812.tif 000007
【図６】
2015121812.tif 000008
【図７】
2015121812.tif 000009
【図８】
2015121812.tif 000010
【図９】
2015121812.tif 000011
【図１０】
2015121812.tif 000012
【図１１】
2015121812.tif 000013
【図１２】
2015121812.tif 000014
【図１３】
2015121812.tif 000015
【図１４】
2015121812.tif 000016
【図１５】
2015121812.tif 000017
【図１６】
2015121812.tif 000018
【図１７】
2015121812.tif 000019
【図１８】
2015121812.tif 000020
【図１９】
2015121812.tif 000021
【図２０】
2015121812.tif 000022
【図２１】
2015121812.tif 000023
【図２２】
2015121812.tif 000024
【図２３】
2015121812.tif 000025
【図２４】
2015121812.tif 000026
【図２５】
2015121812.tif 000027
【図２６】
2015121812.tif 000028
【図２７】
2015121812.tif 000029
【図２８】
2015121812.tif 000030
【図２９】
2015121812.tif 000031
【図３０】
2015121812.tif 000032